(57)【要約】  【課題】  楽な姿勢でハンドルを持つことができ、しかも掃除機本体の収納時にハンドルが邪魔になることのない電気掃除機を提供する。  【解決手段】  前部に集塵ホース１２を接続する接続口１１Ａを有する掃除機本体１１と、掃除機本体１１または集塵ホース１２の差込口１１Ａに設けられ且つ所定の高さを有する第１ハンドル２２とを備えた電気掃除機において、第１ハンドル２２の円筒部２５に第２ハンドル３０を回動可能に設けた。【選択図】  図２
2006149728.tif 000002
【特許請求の範囲】
【請求項１】
前部に集塵ホースを接続する接続口を有する掃除機本体と、前記掃除機本体または集塵ホースの差込口に設けられ且つ所定の高さを有する第１ハンドルとを備えた電気掃除機において、
前記第１ハンドルの把持部に第２ハンドルを回動可能に設けたことを特徴とする電気掃除機。
【請求項２】
前記第１ハンドルの把持部が前記掃除機本体の重心の前側に位置していることを特徴とする請求項１に記載の電気掃除機。
【発明の詳細な説明】
【技術分野】
【０００１】
この発明は、掃除機本体または集塵ホースの差込口に所定の高さの第１ハンドルを設けた電気掃除機に関する。
【背景技術】
【０００２】
従来から、図１０に示す電気掃除機が知られている（例えば特許文献１参照）。
【０００３】
かかる電気掃除機は、掃除機本体１と、この掃除機本体１の接続口２に着脱自在に接続された集塵ホース３と、集塵ホース３の先端部に設けた手元操作部４に着脱自在に接続された延長管５と、この延長管５の先端部に着脱自在に接続された吸込口体６とを備えている。そして、掃除機本体１の接続口２の近傍にハンドル７が設けられており、掃除機本体１の持ち運びが行い易いようになっている。
【特許文献１】特開２０００−２０１８６６号公報
【発明の開示】
【発明が解決しようとする課題】
【０００４】
しかしながら、このような電気掃除機にあっては、ハンドル７の高さが低いため、そのハンドル７を持つ際に、使用者は姿勢を大きく屈ませなければならないという問題があった。また、そのハンドル７の高さを高くすると、掃除機本体１の収納時に邪魔になる等の問題が生じる。
【０００５】
この発明の目的は、楽な姿勢でハンドルを持つことができ、しかも掃除機本体の収納時にハンドルが邪魔になることのない電気掃除機を提供することにある。
【課題を解決するための手段】
【０００６】
上記目的を達成するため、請求項１の発明は、前部に集塵ホースを接続する接続口を有する掃除機本体と、前記掃除機本体または集塵ホースの差込口に設けられ且つ所定の高さを有する第１ハンドルとを備えた電気掃除機において、
前記第１ハンドルの把持部に第２ハンドルを回動可能に設けたことを特徴とする。
【発明の効果】
【０００７】
この発明によれば、第１ハンドルの把持部に第２ハンドルを回動可能に設けたものであるから、第２ハンドルの把持部を第１ハンドルの上端より高い位置へ第２ハンドルを回動移動させることにより、楽な姿勢で第２ハンドルの把持部を持つことができる。また、第２ハンドルを回動させて第２ハンドルの把持部を第１ハンドルの上端より低い位置に移動させることにより、第２ハンドルが邪魔になることなく掃除機本体を収納することができる。
【発明を実施するための最良の形態】
【０００８】
以下、この発明に係る電気掃除機の実施形態である実施例を図面に基づいて説明する。
【実施例】
【０００９】
図１に示す電気掃除機１０は、掃除機本体１１と、この掃除機本体１１の接続口１１Ａに一端が着脱自在に接続されその他端に手元操作管１３が設けられている集塵ホース１２と、手元操作管１３に着脱自在に接続した延長管１４と、延長管１４の先端部に着脱自在に接続された吸込口体１５とを備えている。手元操作管１３には操作部１３Ａが設けられており、この操作部１３Ａには複数の操作スイッチ１３ａが設けられている。
【００１０】
掃除機本体１１内には、図示しない集塵室が形成され、この集塵室には着脱可能に集塵フィルタ（図示せず）が装着されている。また、掃除機本体１１内には、集塵室に塵埃を吸い込ませるための電動送風機（図示せず）が設けられている。
【００１１】
集塵ホース１２の他端には、図２に示すように、差込管（差込口）１６が接続され、この差込管１６の後部には円筒カバー１７が設けられている。差込管１６の側面には、ケース部材１８が取り付けられており、このケース部材１８にはフックＦと、このフックＦをケース部材１８内に没入させる操作部１９が設けられている。円筒カバー１７には、ハンドルユニット２０が着脱自在に取り付けられるようになっている。
【００１２】
ハンドルユニット２０は、図３に示すように、集塵ホース１２の円筒カバー１７の外周囲に着脱自在に嵌合して取り付けられる円筒基部２１と、この円筒基部２１から上方に延びた第１ハンドル２２と、第１ハンドル２２の上部に回動可能に取り付けられた第２ハンドル３０等とから構成されている。円筒基部２１の側部には、軸方向に沿って延びた断面がコ字状のガイド部２１Ｇが設けられている。
【００１３】
このガイド部２１Ｇは、差込管１６を円筒基部２１内に挿入して円筒基部２１を円筒カバー１７に取り付ける際に、差込管１６のフックＦおよび操作部１９が円筒基部２１にぶつからないようにしたものである。
【００１４】
第１ハンドル２２は、円筒基部２１の両側面から上方に延びた一対の第１アーム部２４,２４と、この第１アーム部２４,２４の上部を連結した円筒部（把持部）２５とを有している。円筒部２５の両端の開口には、図４に示すように、段部２５ａ,２５ｂが形成されている。また、図３に示すように円筒基部２１の下部には指を引っかけて掃除機本体１１を持ち運べるように突起２１Ｔが設けられている。
【００１５】
第１ハンドル２２の円筒基部２１を集塵ホース１２の円筒カバー１７に取り付けた場合、図１に示すように、第１ハンドル２２の円筒部２５の高さは掃除機本体１１の高さより少し低めの位置に設定されている。
【００１６】
第２ハンドル３０は、図３に示すように、第１ハンドル２２の円筒部２５内に回動自在に挿入された一対の軸部３１,３２と、この軸部３１,３２の端部から上方に延びた一対の第２アーム部３３,３４と、この第２アーム部３３,３４の先端部から軸部３１,３２と平行に相対向する方向へ延びた一対の連結部材３５Ａ,３５Ｂとを有している。連結部材３５Ａ,３５Ｂは図示しないビスによって互いに連結されて、把持部３５を構成している。
【００１７】
軸部３１は、図５に示すように、軸方向に延びた突条部３１ａが周方向に等間隔に複数形成され、軸部３１の右端部（図５において）にはＯリング３７が装着される筒状の受部３１Ａが形成されている。この受部３１Ａの右横にはフランジ部３１Ｂが形成され、図４に示すようにフランジ部３１Ｂと第１ハンドル２２の段部２５ａとでＯリング３７を挟み込んでいる。
【００１８】
軸部３１の軸穴３１Ｈの左側には、雌ネジ部３１ｍを形成した壁３１Ｋが設けられている。また、壁３１Ｋの左側の開口３１Ｄは軸穴３１Ｈより径が大きく形成されている。
【００１９】
軸部３２は、図６に示すように、軸方向に延びた突条部３２ａが周方向に等間隔に複数形成され、軸部３２の左端部（図４において）にはＯリング３８が装着される筒状の受部３２Ａが形成されている。この受部３２Ａの左横にはフランジ部３２Ｂが形成され、図４に示すようにフランジ部３２Ｂと第１ハンドル２２の段部２５ｂとでＯリング３８を挟み込んでいる。
【００２０】
軸部３２の右端部（先端部）には、軸部３１の開口３１Ｄに挿入される突起部３２Ｔが形成され、この突起部３２ＴにはビスＰを通すビス穴３２Ｔａが形成されている。 そして、図４に示すように、軸部３２の突起部３２Ｔが軸部３１の開口３１Ｄに挿入され、その突起部３２Ｔのビス穴３２ＴａにビスＰが通されているとともに、軸部３１の壁３１Ｋの雌ネジ部３１ｍに螺合している。このビスＰの螺合により、軸部３１と軸部３２とが固定され、軸部３１,３２が一体的に第１ハンドル２２の円筒部２５内で回動可能となっている。
【００２１】
ビスＰの締め具合いによって、軸部３１,３２のフランジ部３１Ｂ,３２Ｂと第１ハンドル２２の段部２５ａ,２５ｂとで押圧するＯリング３８の押圧力が調整され、これにより軸部３１,３２が第１ハンドル２２の円筒部２５に対して所定の摩擦力が得られる。このため、予めビスＰの締め具合いを調整しておくことにより、第２ハンドル３０を第１ハンドル２２に対して任意の角度に回動移動させてその任意の角度に停止させておくことができる。
【００２２】
そして、図７および図９（Ａ）に示す位置へ第２ハンドル３０を回動させて第１ハンドル２２に対してほぼ一直線状に上方へ伸ばした場合、床面Ｙから第２ハンドル３０の把持部３５までの高さが３７０mmに設定されている。また、図８および図９（Ｂ）に示すように、掃除機本体１１の後部を下にして掃除機本体１１を立てて第２ハンドル３０を上方に伸ばした状態にした場合、床面Ｙから第２ハンドル３０の把持部３５までの高さが５１０mmに設定されている。この場合の掃除機本体１１の高さ（長さ）は２９０mmに設定されている。
【００２３】
図７および図９（Ａ）に示すように、床面Ｙから第２ハンドル３０の把持部３５までの高さが３７０mmに設定されていることにより、掃除中に掃除機本体１１を移動させる際、使用者は姿勢を大きく屈ませなくても第２ハンドル３０の把持部３５を持つことができる。
【００２４】
また、図１に示すように、第２ハンドル３０の第２アーム部３３,３４を第１ハンドル２２の第１アーム部２４,２４に重なる位置まで回動させれば、第１ハンドル２２の円筒部２５が掃除機本体１１よりも低い位置にあることにより、第１,第２ハンドル２２,３０が邪魔になることなく、掃除機本体１１を収納することができる。
【００２５】
なお、図７に示す第２ハンドル３０を図１に示す位置へ回動させるには、集塵ホース２２の差込管１６を掃除機本体１１の接続口１１Ａから外す。
【００２６】
さらに、図８および図９（Ｂ）に示すように、床面Ｙから第２ハンドル３０の把持部３５までの高さがあまり大きくない５１０mmに設定されていることにより、第２ハンドル３０の把持部３５を持った際、掃除機本体１１の後端部と床面Ｙとの間が所定の高さに確保される。このため、掃除機本体１１を持って階段を登る際に、その掃除機本体１１の下部を階段にぶつけてしまうことがない。
【００２７】
また、第１ハンドルの円筒部２５は掃除機本体１１の重心の位置より前にあることにより、図７に示すように、第２ハンドル３０の把持部３５を持って掃除機本体１１を持ち上げていけば、第２ハンドル３０の軸部３１,３２が第１ハンドル２２の円筒部２５に対して回動していき、掃除機本体１１は図８に示すように立ち上がっていく。このため、掃除機本体１１を持ち運び易くなる。
【００２８】
さらに、第２ハンドル３０の軸部３１,３２が第１ハンドル２２の円筒部２５に対して回動するので、第２ハンドル３０の把持部３５の操作により、掃除機本体１１を立たせたり（図８に示す状態）、横（図７に示す状態）にさせたりすることが簡単に行える。
【００２９】
上記実施例では、ハンドルユニット２０を集塵ホース１２の円筒カバー１７に取り付けるようにしているが、掃除機本体１１に取り付けてもよい。この場合、第１ハンドル２２の円筒部２５が掃除機本体１１の重心の位置より前に位置するようにする。
【図面の簡単な説明】
【００３０】
【図１】この発明に係る電機掃除機の外観を示した斜視図である。
【図２】図１に示す掃除機本体と、ハンドルユニットと、集塵ホースの差込管とを示した斜視図である。
【図３】ハンドルユニットの構成を示した分解斜視図である。
【図４】ハンドルユニットの一部を示した部分拡大断面図である。
【図５】第２ハンドルの一方の軸部を示した斜視図である。
【図６】第２ハンドルの他方の軸部を示した斜視図である。
【図７】掃除機本体を横にして第２ハンドルを立ち上げた状態を示した説明図である。
【図８】掃除機本体を立たせて第２ハンドルを立ち上げた状態を示した説明図である。
【図９】図７および図８の第２ハンドルの把持部までの高さを比較した説明図である。
【図１０】従来の掃除機本体を示した外観図である。
【符号の説明】
【００３１】
１１          掃除機本体
１１Ａ        接続口
１２          集塵ホース
２２          第１ハンドル
２５          円筒部（把持部）
３０          第２ハンドル
【図１】
2006149728.tif 000003
【図２】
2006149728.tif 000004
【図３】
2006149728.tif 000005
【図４】
2006149728.tif 000006
【図５】
2006149728.tif 000007
【図６】
2006149728.tif 000008
【図７】
2006149728.tif 000009
【図８】
2006149728.tif 000010
【図９】
2006149728.tif 000011
【図１０】
2006149728.tif 000012